(57)【要約】【課題】  発光ダイオードの無駄をなくし、必要とする波長の光線を効率的に得ることが可能なスキャナの光源を構成する。【解決手段】  光電変換ユニットが赤色光・緑色光・青色光の三原色に対応したラインセンサ６を備え、前記光源ユニットＡが赤色光・緑色光・青色光の三原色のうちの少なくとも１つの色相で発光する複数の発光ダイオード１を備え、温度に対応して最大透過波長をシフトする波長シフトフィルタＴを発光ダイオード１からの光線が透過する位置に配置し、この波長シフトフィルタＴの温度を制御することにより、最大透過波長をＣＣＤラインセンサ６の最大感知波長に合致させる制御装置を備えた。【選択図】        図２
2005354511.tif 000002
【特許請求の範囲】
【請求項１】
光源ユニットからの光線が照射される写真フィルムの画像を光学レンズで光電変換ユニットに導き、この光電変換ユニットにおいて画像データとして取得するよう構成されているフィルムスキャナであって、
前記光電変換ユニットが、少なくとも赤色光・緑色光・青色光の三原色に対応した複数の光電変換素子を備えて構成されると共に、前記光源ユニットが、前記光電変換素子に対応する少なくとも１つの色相で発光する複数の発光ダイオードを有する光源部を備えて構成され、
温度又は湿度として与えられる環境値に対応して最大透過波長をシフトする波長シフトフィルタを前記光源部に備え、この波長シフトフィルタにおける前記環境値を設定する波長制御手段を備えているフィルムスキャナ。
【請求項２】
前記波長制御手段は、前記波長シフトフィルタにおける前記環境値と、この環境値に対応する最大透過波長とを関連付ける参照データを備えると共に、この波長制御手段は、前記光電変換ユニットの光電変換素子の最大感知波長と、前記シフト後の最大透過波長とを合致させる環境値を前記参照データから抽出し、この環境値を制御目標に設定するように構成されている請求項１記載のフィルムスキャナ。
【請求項３】
前記波長シフトフィルタから送り出された光線の波長を計測する波長センサを備えると共に、前記波長制御手段は、前記波長センサでの計測結果に基づいて前記最大感知波長の光線が最大光量となる環境値を求め、この環境値を前記制御目標に代えてセットするプログラムを備えている請求項２記載のフィルムスキャナ。
【請求項４】
前記波長シフトフィルタは、フィルタ部と、このフィルタ部の周囲を取り囲む位置に配置された電気ヒータとで構成されている請求項１〜３のいずれか１項に記載のフィルムスキャナ。
【発明の詳細な説明】
【技術分野】
【０００１】
本発明は、光源ユニットからの光線が照射される写真フィルムの画像を光学レンズで光電変換ユニットに導き、この光電変換ユニットにおいて画像データとして取得するよう構成されているフィルムスキャナに関する。
【背景技術】
【０００２】
上記のように構成されたフィルムスキャナと関連する技術として特許文献１及び特許文献２に示されるものが存在する。特許文献１では、写真フィルムの画像を取得するＣＣＤエリアセンサの光源部としてＬＥＤ光源を備えており、このＬＥＤ光源は基板に多数のＬＥＤ素子を２次元的に配置し、また、この基板の裏面側にペルチェ素子とサーミスタとを接触固定し、更に、ペルチェ素子には放熱フィンを備え、これに対応するファンを備えている。そして、温度制御部が、サーミスタによって温度を検知してペルチェ素子とファンとを駆動することにより基板の温度を予め設定した温度に維持するよう構成されている。
【０００３】
特許文献２では、デジタルフォトプリンタを構成するスキャナの光源としてＬＥＤアレイ基板上にＬＥＤを備えている。この基板においてＬＥＤの取り付け面の反対側に温度センサを設け、この温度センサの測定結果は変動量補正部の変動量取得部に送られるように構成されている。前記変動量補正部は、光源の分光強度分布の変動に応じて画像信号を補正するものであり、温度センサの測定結果から光線の分光強度分布の変動量、即ち、山形分布の波長シフト量と、発光強度の変動量とを求めて画像信号を補正するように機能する。つまり、雰囲気温度下における光源からの光線の分光強度の変動量との関係を予め記憶保持してあり、温度センサで測定される温度から分光強度の変動量を求めることによりスキャナで取得した画像の補正を行うよう構成したものである。
【０００４】
【特許文献１】特開２００１‐３４６００２号公報  （段落番号〔００２６〕〜〔００７４〕、図５、図７、図８）
【特許文献２】特開２００１‐２２３８６１号公報  （段落番号〔００１９〕〜〔００４０〕、図１、図２）
【発明の開示】
【発明が解決しようとする課題】
【０００５】
カラーの写真フィルムの画像をスキャナによってデジタル化した画像データとして取得する処理では、光源ユニットからの光線が照射される写真フィルムの画像を光学レンズによって光電変換ユニットの光電変換素子に結像させ、この光電変換素子によって、Ｒ（赤）・Ｇ（緑）・Ｂ（青）の三原色に対応した画像データに変換し、この三原色に対応した３種の画像データを取得して保存するように基本的な処理形態が設定されている。
【０００６】
写真フィルムの画像を取得するスキャナとしては、写真フィルムと光電変換ユニットとを相対的に移動（副走査方向への移動）させながら、写真フィルムの幅方向（主走査方向）の領域を走査する形態でＲ（赤）・Ｇ（緑）・Ｂ（青）の三原色の画像を同時に取得するものや、写真フィルムのコマの領域（２次元的な領域）を一度に撮影する形態で取得するもの、あるいは、Ｒ（赤）・Ｇ（緑）・Ｂ（青）の３種の光線を順次発光させ３度の発光によって画像を取得するもの等が提案されている。
【０００７】
このように写真フィルムの画像をデジタル信号化した画像データとして取得する際には、写真フィルムの画像を三原色に色分解を行うため、光電変換ユニットは必然的にＲ（赤）、Ｇ（緑）、Ｂ（青）の三原色に対応した特定の波長における感度（分光感度）が最大となる構造のものが使用される。従って、三原色以外の不要な波長の光線を用いないものがエネルギーを無駄にしないものとなり、特許文献１、２に示されるように、Ｒ（赤）、Ｇ（緑）、Ｂ（青）の三原色に対応した発光ダイオードを使用することの有効性を見出すことができる。
【０００８】
別の観点から考えると、光電変換ユニットではＲ（赤）、Ｇ（緑）、Ｂ（青）の三原色に対応して最大感知波長が設定されるものであるが、この最大感知波長から外れた波長の光線も感知するのが現状であり、カラーバランスを考えた場合には、最大感知波長から外れた波長の光線が含まない光源ユニットが望まれている。
【０００９】
しかしながら、発光ダイオードは、その個体の性能のバラツキによって発光時の波長が異なるため、光電変換ユニットにおける最大感知波長に対応した波長の発光ダイオードを使用することを考えた場合、光電変換ユニットの最大感知波長に対応した発光ダイオードを抽出する必要があるため、発光ダイオードの歩留まりが悪く光源ユニットのコスト上昇に繋がるものであった。
【００１０】
また、光電変換ユニットにおける最大感知波長に対応した波長の発光ダイオードを使用するものでも、この発光ダイオードの発光時における波長は温度や湿度に影響を受けるため画像データのカラーバランスを維持するためにも温度・湿度管理は重要である。
【００１１】
本発明の目的は、発光ダイオードの無駄をなくし、必要とする波長の光線を効率的に得ることが可能なスキャナの光源を構成する点にある。
【課題を解決するための手段】
【００１２】
本発明の特徴は、光源ユニットからの光線が照射される写真フィルムの画像を光学レンズで光電変換ユニットに導き、この光電変換ユニットにおいて画像データとして取得するよう構成されているフィルムスキャナであって、
前記光電変換ユニットが、少なくとも赤色光・緑色光・青色光の三原色に対応した複数の光電変換素子を備えて構成されると共に、前記光源ユニットが、前記光電変換素子に対応する少なくとも１つの色相で発光する複数の発光ダイオードを有する光源部を備えて構成され、温度又は湿度として与えられる環境値に対応して最大透過波長をシフトする波長シフトフィルタを前記光源部に備え、この波長シフトフィルタにおける前記環境値を設定する波長制御手段を備えている点にある。
【００１３】
この構成により、光電変換素子において最大となる分光感度から外れた波長の光線を発する発光ダイオードを光源部に使用する場合でも、波長シフトフィルタを用い、この波長シフトフィルタにおける環境値を設定することにより、その発光ダイオードの光線の波長を光電変換素子の最大感知波長と合致する波長の光線を透過させ、この波長から外れた波長の光線の低減が可能となる。つまり、従来からのフィルムスキャナでは、光電変換部に使用するＣＣＤ型やＣＭＯＳ型等の光電変換素子の分光感度に適合した波長となる発光ダイオードの使用を必須としていたが、この分光感度から外れた波長の発光ダイオードを使用できる。その結果、必要とする波長の光線を得るものでありながら、発光ダイオードの歩留まりが高まり、コスト低下が可能なフィルムスキャナが構成されたのである。
【００１４】
これに関連する技術として、特開昭５７−６２００８号公報に示されるものが存在する。この技術では、光源と、所定波長域の光を透過させる分光フィルタと、この所定波長域における遮断周波数が温度によって変化するガラス材と、このガラス材の温度を制御する温度制御手段とを備え、この温度制御手段によってガラス材の温度を制御することによって、光源から分光フィルタ、ガラス材を透過した光線の強度を制御する構成が示されている。
【００１５】
本発明は、前記波長制御手段が、前記波長シフトフィルタにおける前記環境値と、この環境値に対応する最大透過波長とを関連付ける参照データを備えると共に、この波長制御手段は、前記光電変換ユニットの光電変換素子の最大感知波長と、前記シフト後の最大透過波長とを合致させる環境値を前記参照データから抽出し、この環境値を制御目標に設定するように構成しても良い。
【００１６】
この構成により、参照データから、波長シフトフィルタの最大透過波長が、光電変換素子の最大感知波長となる環境値を抽出し、この環境値を制御目標とするよう波長制御手段が制御を行うことにより、光電変換ユニットにおいて必要とする波長の光線を光源ユニットから供給できるものとなる。
【００１７】
本発明は、前記波長シフトフィルタから送り出された光線の波長を計測する波長センサを備えると共に、前記波長制御手段は、前記波長センサでの計測結果に基づいて前記最大感知波長の光線が最大光量となる環境値を求め、この環境値を前記制御目標に代えてセットするプログラムを備えても良い。
【００１８】
この構成により、波長シフトフィルタからの光線の波長を波長センサで計測し、この計測により最大光量となる光線の波長が光電変換ユニットの最大感知波長と合致する環境値を求め、この環境値を制御目標に代えてセットする処理がプログラムによって行われることにより、必要とする波長の光線を精度高く得ることが可能となった。
【００１９】
本発明は、前記波長シフトフィルタとして、フィルタ部と、このフィルタ部の周囲を取り囲む位置に配置された電気ヒータとで構成しても良い。
【００２０】
この構成により、フィルタ部が温度によって光線の波長をシフトさせるものを使用した場合には、このフィルタ部の周囲に配置した電気ヒータの温度を制御することによって、フィルタ部の全体の温度を設定すると云う簡単な制御によって波長のシフトを行えるのである。
【発明を実施するための最良の形態】
【００２１】
以下、本発明の実施形態を図面に基づいて説明する。
図１に示すように、光源ユニットＡ、フィルムキャリアＢ、レンズユニットＣ、光電変換ユニットＤを備えて写真フィルムＦの画像をデジタル信号化し画像データとして取り込むフィルムスキャナが構成されている。
【００２２】
このフィルムスキャナは、現像済みの写真フィルムＦのサイズ（１３５サイズ、２４０サイズ、１２０・２２０サイズ等）に対応した前記フィルムキャリアＢの装着が可能に構成され、光源ユニットＡからの光線をフィルムキャリアＢに支持された写真フィルムＦに照射する照明光学系と、写真フィルムＦを透過した光線をレンズユニットＣから前記光電変換ユニットＤに導く結像光学系とを備えている。
【００２３】
結像光学系としての前記レンズユニットＣはズーム型の光学レンズ５を有し、写真フィルムＦの主走査方向に沿う領域からの可視光画像を設定された拡大率で光電変換ユニットＤに内蔵したＣＣＤ（ Charge Coupled Device）型のラインセンサ６（光電変換素子の一例）の光電変換面に結像させると同時に、写真フィルムＦの主走査方向に沿う領域からの赤外光画像を光電変換ユニットＤに内蔵した赤外光（ＩＲ）用のＣＣＤ（ Charge Coupled Device）型のラインセンサ７の光電変換面に結像させるよう機能するものであり、この光電変換ユニットＤは、写真フィルムＦの可視光画像をＲ（赤）、Ｇ（緑）、Ｂ（青）の三原色に対応したデジタル信号化した画像データ（可視光データ）として取得すると同時に、写真フィルムＦのゴミや傷に起因する赤外光画像をゴミや傷に対応する欠陥データ（赤外光データ）として取得するよう構成されている。
【００２４】
前記光源ユニットＡは、図２〜図４に示すように、前記三原色及び赤外光を送り出すよう、多数の発光ダイオード１を基板Ｐ（後述する第１、第２、第３基板Ｐ１、Ｐ２、Ｐ３の３つの基板の総称）において主走査方向に直線状に配置した光源部としての発光ダイオードアレイＬＥＤ（後述する発光ダイオードアレイＧ−ＬＥＤ、Ｂ−ＬＥＤ、Ｒ・ＩＲ−ＬＥＤの３種の発光ダイオードアレイの総称）を有し、この発光ダイオードアレイＬＥＤからの光線を合流させ白色光線とした状態で上方に向けて送り出すよう構成されている。前記フィルムキャリアＢは、長手方向を主走査方向に沿う姿勢に設定したスリット状のスキャンゲートＳＧが形成されたケース２０を備えると共に、写真フィルムＦを長手方向（副走査方向）に往復搬送させる複数の圧着型の搬送ローラ２１と、下面側の集光レンズ２２とを備えて構成されている。
【００２５】
前記光電変換ユニットＤは、Ｒ（赤）、Ｇ（緑）、Ｂ（青）の三原色に対応した３ライン型のラインセンサ６と赤外光（ＩＲ）を感知する１ライン型のラインセンサ７とを内蔵すると共に、前記光学レンズ５からの可視光を透過させ、赤外光を反射させるダイクロイック型のスプリッター８を内蔵している。
【００２６】
このフィルムスキャナでスキャニングを行う際には、取り込む画像の画素数に基づいて光学レンズ５による拡大率（主走査方向での画素数）を設定すると同時に、フィルムキャリアＢでの写真フィルムＦの搬送速度（副走査方向での画素数）が設定され、この設定の後に、写真フィルムＦに対して光源ユニットＡからの光線を照射する状態で、前記搬送ローラ２１の駆動で写真フィルムＦを設定された速度で搬送し、この搬送速度と同期したタイミングで光電変換ユニットＤのラインセンサ６、７において主走査方向に沿うライン状の画像を取り込み画像データとして取得する処理が行われる。
【００２７】
この処理が行われることにより、写真フィルムＦのコマに対応する赤色（Ｒ）、緑色（Ｇ）、青色（Ｂ）の２次元の画像データを得ると同時に、写真フィルムＦのコマに対応する赤外光（ＩＲ）の２次元画像データの構造を有する欠陥データを得るものとなる。この欠陥データを生成した後には、欠陥データに基づき、画像データにおける傷や塵埃等の欠陥位置が特定され、この欠陥位置の画像データに対して、濃度調整処理の他にニアレストネイバー法、バイリニア法、バイキュービック法等による補間処理を行うことにより、画像データの欠陥部分の修復が可能となる。
【００２８】
前記照明光学系は、前記発光ダイオードアレイＬＥＤからの光線を合流させて上方に送り出す合流光学系と、この合流光学系からの光線を拡散させるよう前記光源ユニットＡに内蔵された拡散板１０とで構成されている。
【００２９】
具体的に説明すると、前記光源ユニットＡは樹脂成形品で成る上壁部１１と、アルミニウム合金で成る側壁部１２と、同じくアルミニウム合金で成る底壁部１３とでケース状に形成されている。また、上壁部１１の内部には、その表面側に前記発光ダイオードアレイＬＥＤを形成した第１基板Ｐ１と、第２基板Ｐ２と、第３基板Ｐ３とを支持してあり、これら、第１基板Ｐ１、第２基板Ｐ２、第３基板Ｐ３の表面側に温度センサＴＳ（図５を参照）を備え、裏面側にアルミニウム製のフィン１４を備えている。また、この光源ユニットＡの側壁部１２には、３つのフィン１４に対して冷却風を送る一対の電動型のファン１５を備え、この光源ユニットＡの内部にはファン１５夫々からの冷却風を案内する導風体１６を備えている。
【００３０】
前記第１基板Ｐ１にチップ状の多数の緑色の発光ダイオード１を主走査方向に直線状に配置して成る緑色の発光ダイオードアレイＧ−ＬＥＤを備え、第２基板Ｐ２にチップ状の多数の青色の発光ダイオード１を主走査方向に直線状に配置して成る青色の発光ダイオードアレイＢ−ＬＥＤを備え、第３基板Ｐ３にチップ状の多数の第１、第２赤色の発光ダイオード１と、チップ状の多数の赤外光の発光ダイオード１とを交互に主走査方向に配置した赤色・赤外光の発光ダイオードアレイＲ・ＩＲ−ＬＥＤを備えている。夫々の発光ダイオードアレイＬＥＤに対応する位置に夫々の発光ダイオードアレイからの光線を平行光線化するように夫々の発光ダイオード１に焦点位置を設定した平行化レンズ１８を備え、これらの平行化レンズ１８を介して送り出された光線を合流させるダイクロイック型のミラーＭ（後述する第１ミラーＭ１、第２ミラーＭ２の総称）を備えている。
【００３１】
具体的には、緑色の発光ダイオードアレイＧ−ＬＥＤからの光線を上方に送る縦向き姿勢の第１光軸Ｌ１上に前記平行化レンズ１８と、波長シフトフィルタＴと、第１ミラーＭ１とを配置し、青色の発光ダイオードアレイＢ−ＬＥＤからの光線を上方に送る縦向き姿勢の第２光軸Ｌ２上に前記平行化レンズ１８とを配置し、赤色・赤外光の発光ダイオードアレイＲ・ＩＲ−ＬＥＤからの光線を水平方向に送る横向き姿勢の第３光軸Ｌ３上に前記平行化レンズ１８と、第２ミラーＭ２とを配置している。前記第１、第２、第３光軸Ｌ１、Ｌ２、Ｌ３は、夫々の発光ダイオードアレイＬＥＤの形成方向（主走査方向）での中央位置で、かつ、前記基板Ｐに垂直となる仮想直線として設定されたものであり、第１光軸Ｌ１の延長上方に前記集光レンズ２２とスキャンゲートＳＧが配置され、前記第２光軸Ｌ２は前記第２ミラーＭ２において前記第３光軸Ｌ３と合流する位置に配置されている。
【００３２】
前記青色の発光ダイオード１は４００〜４８０ｎｍの波長域において前記ラインセンサ６の最大感知波長と合致する波長のものが使用され、緑色の発光ダイオード１は５２０〜５６０ｎｍの波長域において前記波長シフトフィルタＴを透過した光線の波長が前記ラインセンサ６の最大感知波長と合致する波長のものが使用され、赤色の発光ダイオード１は６２０〜７５０ｎｍの波長域において前記ラインセンサ６の最大感知波長と合致する波長のものが使用され、赤外光の発光ダイオード１の波長は８３０〜９５０ｎｍの波長域において前記ラインセンサ７の最大感知波長と合致するものが使用されている。
【００３３】
前記第１ミラーＭ１は前記波長シフトフィルタＴを透過した光線（５２０〜５６０ｎｍ）を透過し、これ以外の光線を反射する性能のものであり、前記第２ミラーＭ２は赤色光と赤外光と発光ダイオード１からの波長（６２０〜７５０ｎｍ及び８３０〜９５０ｎｍ）の光線を透過し、青色の発光ダイオード１からの波長（４００〜４８０ｎｍ）の光線を反射する性能のものを使用している。
【００３４】
前記波長シフトフィルタＴは、図２及び図７に示すように、温度によって最大透過波長がシフトする性質となるフィルタ部２５の周囲に電気ヒータ２６を備えた構造であり、電気ヒータ２６でフィルタ部２５を加熱し、このフィルタ部２５を所定の温度（環境値の一例）に設定することにより最大透過波長をシフトするように機能する。尚、前記フィルタ部２５は干渉フィルタを用い、熱の作用で干渉膜の厚みが変化することによって最大透過波長がシフトするものを想定している。また、前記第１ミラーＭ１からの反射光が入射する位置には、フィルムスキャナにおいて使用される光線の波長域における光量（分光強度）を計測可能な波長センサＷＳを備えている。
【００３５】
図６に示すように光源ユニットＡを管理する制御系が構成されている。つまり、マイクロプロセッサを備えた制御装置３０（波長制御手段の一例）に対して前記３つの温度センサＴＳと前記波長センサＷＳとからの検出信号が入力する信号系、及び、ラインセンサ６の最大感知波長を入力する入力部３１からの信号系が形成されると共に、前記３つのファン１５と、前記波長シフトフィルタＴの電気ヒータ２６に電力を供給するための電力制御部３２とに制御信号を出力する信号系を形成している。また、この電力制御部３２は、制御信号としてのデューティ比に対応した電力の供給が可能なようにＰＷＭ式に構成されている。
【００３６】
前記制御装置３０は、ダイオード温度制御プログラム３３と、フィルタ温度制御プログラム３４とがセットされると共に、参照データとしてのテーブルデータ３５を備えている。このテーブルデータ３５は、前記波長シフトフィルタＴの温度と、この波長シフトフィルタＴにおける設定温度と、この温度における最大透過波長とを関連付けたデータ構造を具備している。前記ダイオード温度制御プログラム３３は温度センサＴＳからの検出信号に基づいて対応する前記ファン１５を制御し、前記フィルタ温度制御プログラム３４は、前記テーブルデータ３５に基づき制御目標として設定された目標温度を得るよう前記電力制御部３２を制御して波長シフトフィルタＴを加熱すると共に、この加熱時に前記波長センサＷＳからのフィードバック信号に基づいて制御目標を変更し、この制御目標に基づいて前記電気ヒータ２６に供給する電力の制御を行うよう制御形態が設定されている。
【００３７】
前記ダイオード温度制御プログラム３３は、発光ダイオード１の発光時に前記温度センサＴＳで計測される温度が予め設定された温度を超えた場合に、対応する前記ファン１５を駆動して、冷却を行うことにより発光ダイオード１の温度を設定された温度領域に維持するように制御形態が設定されている。
【００３８】
前記フィルタ温度制御プログラム３４は、対応するラインセンサ６の最大感知波長と対応する最大透過波長を前記テーブルデータ３５から求め、更に、このテーブルデータ３５から最大透過波長に対応する設定温度（初期の制御目標）を抽出し、この設定温度に対応するディーティ比を設定して前記電力制御部３２からの電力を前記電気ヒータ２６に供給してフィルタ部２５の加熱を行うと共に、この電力供給状態において前記波長センサＷＳからのフィードバック信号に基づき、この波長センサＷＳにおいて計測した最大光量となる光線の波長が前記最大透過波長（最大感知波長と等しい）と合致する温度（稼働時の制御目標）を求め、この温度を得るように前記デューティ比を調節するように制御形態が設定されている。
【００３９】
尚、本実施の形態では、前記波長シフトフィルタＴが前記緑色の発光ダイオード１からの光線が透過する位置に配置されているが、この波長シフトフィルタＴを青色の発光ダイオード１からの光線が透過する位置に配置することや、第１、第２赤色の発光ダイオード１からの光線を透過する位置に配置するよう構成しても良い。
【００４０】
緑色の発光ダイオードアレイＧ−ＬＥＤを備えた部位を例に挙げて基板Ｐの詳細を説明すると、図５に示すように、基板Ｐは熱伝導率が高いアルミニウム製の基材の表面にセラミック材料等の絶縁層を形成した積層構造であり、この基板Ｐの絶縁層の表面に対して前述したチップ状の発光ダイオード１を主走査方向に沿って直線状にダイボンディングにより固定している。また、この基板Ｐにおいて前記発光ダイオード１の近傍位置に対して矩形の枠体２、反射体３夫々を発光ダイオードアレイＬＥＤの形成方向（主走査方向）と並行する姿勢で固定し、チップ状の発光ダイオード１と、基板Ｐに形成したプリント配線部Ｐａとをボンディングワイヤ４で結線することにより、プリント配線部Ｐａからの電力により発光ダイオード１を発光させ得るものにしている。
【００４１】
前記枠体２と反射体３とは耐熱性に優れた液晶性ポリマーによって一体形成されたものであり、前記反射体３は、発光ダイオード１と対向する側に対して傾斜姿勢の反射面３ａを備えており、図７に示すように、この複数の発光ダイオード１の形成方向（主走査方向）の中央位置の基板Ｐの表面にはサーミスタ等で成る前記温度センサＴＳを備えている。
【００４２】
この構造から、前記緑色の発光ダイオードアレイＧ−ＬＥＤから第１光軸Ｌ１に沿って送り出される光線は、平行化レンズ１８で平行光線化した後に、波長シフトフィルタＴによって必要とする波長の光線が選択された状態で第１ミラーＭ１を透過して第１光軸Ｌ１に沿って上方に送られ、前記青色の発光ダイオードアレイＢ−ＬＥＤから第２光軸Ｌ１に沿って送り出される光線は、平行化レンズ１８で平行光線化した後に、第２ミラーＭ２で反射して第３光軸Ｌ３と合流し、赤色・赤外光の発光ダイオードアレイＲ・ＩＲ−ＬＥＤから第３光軸Ｌ１に沿って送り出される光線は、平行化レンズ１８で平行光線化した後に第２ミラーＭ２を透過するものとなり、このように第３光軸Ｌ３に沿って送られる青色の発光ダイオードアレイＢ−ＬＥＤからの光線と、赤色・赤外光の発光ダイオードアレイＲ・ＩＲ−ＬＥＤからの光線とは第１ミラーＭ１で反射され、第１光軸Ｌ１に沿って上方に送られる結果、この第１光軸Ｌ１では緑色の光線、青色の光線、赤色の光線（赤外線を含む）が合流した白色の光線が送られ、前記拡散板１０で拡散され、前記スキャンゲートＳＧに導かれるのである。
【００４３】
このように、本発明によると、ラインセンサ６において最大感知波長から少し外れた波長の光線を発する発光ダイオード１を光源部に使用する場合でも、波長シフトフィルタＴを用い、この波長シフトフィルタＴにおける温度（環境値の一例）を設定することにより、ラインセンサ６において最大感知波長となる光線を選択的に透過させることが可能となる。これにより、従来からのフィルムスキャナでは、光電変換部に使用するＣＣＤ型やＣＭＯＳ型等の光電変換素子の分光感度に適合した波長となる発光ダイオード１の使用を必須としたものが、この分光感度から外れた発光ダイオード１の使用が可能となり、その結果、必要とする波長の光線を得るものでありながら、発光ダイオード１の歩留まりが高まり、良好なカラーバランスの画像データの取得が可能となり、また、フィルムスキャナのコスト低下が可能となるのである。
【００４４】
〔別実施の形態〕
本発明は、上記した実施の形態以外に以下のように構成しても良い（この別実施の形態では前記実施の形態と同じ機能を有するものには、実施の形態と共通の番号、符号を付している）。
【００４５】
（イ）図８に示すように、前記波長シフトフィルタＴとして湿度（環境値の一例）によって波長のシフトを行うものを使用しても良い。具体的には、上下にカバーガラス４０、４０を配置した密封ケース４１の内部に干渉フィルタ型のフィルタ材４２を配置し、この密封ケース４１に対して管路４３を介して湿度調節器４４で湿度が調節された空気を供給するように波長シフトフィルタＴを構成する。この波長シフトフィルタＴは、前記フィルタ材４２に形成された干渉膜が含有する水分子の量に対応して膜厚が変化し、この膜厚の変化に基づいて最大透過波長が変動する現象を利用したものであり、フィルタ材４２が存在する環境の湿度を調節することにより、干渉膜に出入りする水分子の量を調節できるものにしている。そして、前記制御装置３０にセットされるテーブルデータ３５として、設定湿度（環境値の一例）と、この湿度における最大透過波長とを関連付けたデータ構造のものが使用され、ラインセンサ６の最大感知波長と対応する最大透過波長となるよう波長シフトフィルタＴを制御し、良好なカラーバランスの画像データを取得できるのである。
【００４６】
（ロ）実施の形態のように温度の制御によって最大透過波長がシフトする波長シフトフィルタＴを使用する場合には、波長シフトフィルタＴの温度を計測する温度センサを備え、この温度センサからの信号をフィードバックして温度制御を行うように制御系を構成する。このように構成することにより、波長シフトフィルタＴの温度制御の精度を高めることが可能となる。
【００４７】
（ハ）別実施の形態のように湿度の制御によって最大透過波長がシフトする波長シフトフィルタＴを使用する場合には、波長シフトフィルタＴの湿度を計測する湿度センサを備え、この湿度センサからの信号をフィードバックして湿度制御を行うように制御系を構成する。このように構成することにより、波長シフトフィルタＴの湿度制御の精度を高めることが可能となる。
【００４８】
（ニ）例えば、赤外光や赤色光のように波長が長い光線を多く含むハロゲンランプを用いてこれらの色相の光線を得ると共に、これより波長が短い緑色や青色の光源として発光ダイオードを用い、これらの発光ダイオードからの光線が透過する位置に波長シフトフィルタを配置しても良い。
【図面の簡単な説明】
【００４９】
【図１】フィルムスキャナの斜視図
【図２】光源ユニットの構成を示す斜視図
【図３】光源ユニットの縦断正面図
【図４】光源ユニットの縦断側面図
【図５】発光ダイオードの支持部を示す基板の断面図
【図６】制御系のブロック回路図
【図７】波長シフトフィルタと波長センサとの配置を示す図
【図８】別実施の形態（イ）の波長シフトフィルタと波長センサとの配置を示す図
【符号の説明】
【００５０】
１            発光ダイオード
５            光学レンズ
６、７        光電変換素子
３０          波長制御手段
３５          参照データ
Ａ            光源ユニット
Ｄ            光電変換ユニット
Ｆ            写真フィルム
Ｔ            波長シフトフィルタ
【図１】
2005354511.tif 000003
【図２】
2005354511.tif 000004
【図３】
2005354511.tif 000005
【図４】
2005354511.tif 000006
【図５】
2005354511.tif 000007
【図６】
2005354511.tif 000008
【図７】
2005354511.tif 000009
【図８】
2005354511.tif 000010